(57)【要約】【課題】ルーバ等の配光制御部材が段差なく連続させることができる照明器具を提供する。【解決手段】各々に連結端１ａ、２ａを有する一対の器具本体１、２と、一対の器具本体１、２の各前面に配設された一対のルーバ５、６と、一対の器具本体１、２と一対のルーバ５、６との間に配置されるランプと、一対の器具本体１、２にそれぞれ設けられて一対のルーバ５、６をそれぞれ引き寄せた状態に着脱自在に保持する弾性取付部材４と、一対のルーバ５、６の相互の隣接端が弾性取付部材４の引き寄せ力により当接する当接部８を有して一対の器具本体１、２の連結端１ａ、２ａを連結する連結部材７とを備えている。  【選択図】        図１
2006210163.tif 000002
【特許請求の範囲】
【請求項１】
各々に連結端を有する一対の器具本体と、前記一対の器具本体の各前面に配設された一対の配光制御部材と、前記一対の器具本体と前記一対の配光制御部材との間に配置されるランプと、前記一対の配光制御部材を前記一対の器具本体側にそれぞれ引き寄せた状態に前記一対の器具本体に着脱自在に保持する弾性取付部材と、前記一対の配光制御部材の相互の隣接端が前記弾性取付部材の引き寄せ力により当接する当接部を有して前記一対の器具本体の前記連結端を連結する連結部材とを備えた照明器具。  
【請求項２】
前記連結部材は前記配光制御部材の前記隣接端部の隙間から見える部分を前記配光制御部材と同色系の色とした請求項１記載の照明器具。
【発明の詳細な説明】
【技術分野】
【０００１】
本発明は、複数の器具本体を連結しそれぞれにルーバ等の配光制御部材を設けた照明器具に関するものである。
【背景技術】
【０００２】
従来のこの種の照明器具（例えば特許文献１参照）は、相連結する一対の器具本体の各々の前面にルーバを配設し、器具本体とルーバとの間にランプを配置している。一対のルーバはそれぞれ取付部材により一対の器具本体に取付けられている。
【特許文献１】特開平８−３２１２１１号公報
【発明の開示】
【発明が解決しようとする課題】
【０００３】
しかし、一対の器具本体を相互に連結した場合、ルーバ同士が連続して並ばずにルーバ間に段差が生じ、外観が悪くなることがあるという課題があった。
【０００４】
そこで、第１の従来例は図５（ａ）に示すように各ルーバ５０に枠５０ａを設け、枠５０ａに器具本体５１への取付構造を設け、連結した各々のルーバ５０の傾きが目立たないようにしたものである。しかし、ルーバ５０の隣接端にも枠５０ａがあるため、連続性の高い外観の実現が不可能であった。
【０００５】
第２の従来例は、図５（ｂ）に示すように、一端に添え板５２を有するルーバ５３を用いて継ぎ目の無い連結を実現したものであるが、方向性があるため中用、右用、左用および単体用に構造を分ける必要があり、コストアップや製造・施工時の員数管理が煩雑である等の問題点があった。
【０００６】
第３の従来例は、図５（ｃ）に示すように、単体取付け、連結取付けの両方に取付けできるルーバ５４をそのまま突き合わせて連結したものであるが、ルーバ５４の幅方向の傾きを矯正する機構がなく、ルーバ相互の隣接端には段差が発生するため、器具幅が非常に狭い照明器具にのみ限定していた。
【０００７】
この結果、ルーバ５０の隣接端に枠５０ａ等の外観上現れる固有の構造がなく、ルーバに方向性がなく、単体・連結のどちらにも使用可能となり、さらに器具幅の広いルーバでも傾きの矯正が容易かつ確実に可能であること、という課題を同時に満たすことが要望された。
【０００８】
したがって、本発明の目的は、上記要望を同時に満たすことができ、ルーバ等の配光制御部材が段差なく連続させることができる照明器具を提供することである。
【課題を解決するための手段】
【０００９】
本発明の照明器具は、一対の器具本体が各々に連結端を有する。一対の配光制御部材が前記一対の器具本体の各前面に配設されている。ランプが前記一対の器具本体と前記一対の配光制御部材との間に配置されている。弾性取付部材が前記一対の配光制御部材を前記一対の器具本体側にそれぞれ引き寄せた状態に前記一対の器具本体に着脱自在に保持する。連結部材は前記一対の配光制御部材の相互の隣接端が前記弾性取付部材の引き寄せ力により当接する当接部を有し、前記一対の器具本体の前記連結端を連結している。  
【００１０】
上記構成において、前記連結部材は前記配光制御部材の前記隣接端部の隙間から見える部分を前記配光制御部材と同色系の色としている。
【発明の効果】
【００１１】
本発明の照明器具によれば、連結部材により配光制御部材の隣接端部同士を段差なく連続することができる。このため、配光制御部材の隣接端部に枠等の外観上現れる固有の構造がない配光制御部材でも容易に連続性のある照明器具の連結配置が実現できる。また配光制御部材に方向性がなく、単体・連結とのどちらにも使用可能なため、部材共通化が図れ、コストダウンにつながる。さらに器具幅の広い配光制御部材でも傾きの矯正が容易かつ確実に可能である。また配光制御部材を取付ける操作のみで弾性取付部材の弾力により配光制御部材の位置が規制されるため、後の調整作業が不要であり、施工性がよい。
【００１２】
連結部材と配光制御部材を同色としたため、外観が悪くならない。
【発明を実施するための最良の形態】
【００１３】
本発明の第１の実施の形態の照明器具を図１および図２に示す。一対の直管蛍光ランプ用の器具本体１、２の各連結端１ａ、２ａを、連結部材７で相互に連結している。一方の器具本体１は一端が端壁のない連結端１ａとなり、他端が端壁３のある終端部１ｂとなっている。他方の器具本体２は一端が端壁のない連結端２ａとなり他端が端壁のあるまたは端壁のない構成としている。器具本体２の他端に端壁がある場合、照明器具は一対の器具本体１、２で構成される。器具本体２の他端に端壁がない場合、その他端には器具本体１と同構造または器具本体２と同構造の別の器具本体が連結部材７により連結される。器具本体２と同構造の場合にはさらに連続して器具本体を連結することができる。
【００１４】
各器具本体１、２にはそれぞれ弾性取付部材４が設けられている。この弾性取付部材４は例えば金属板を略逆Ｕ字形に形成され、その両端に互いに外方に張出す張出部４ａを折曲し、張出部４ａの先端をさらに相接近する方向に傾斜して引き寄せ部４ｂとしている。この引き寄せ部４ｂにより、後述の一対のルーバ５、６をそれぞれ引き寄せた状態に着脱自在に保持している。また弾性取付部材４は器具本体１、２の長手方向に複数箇所設けられているが、器具本体１、２の両端から所定の距離Ｄ内方の位置に配置されている。
【００１５】
各器具本体１、２にはさらにランプソケット（図示せず）を有し、これにランプ（図示せず）を装着している。ランプは、一対の器具本体１、２と一対のルーバ５、６との間に配置されるが、その長さに応じて、一対の器具本体１、２のそれぞれに別々に配置される場合と、ランプが一対の器具本体１、２にまたがるように配置される場合とがある。
【００１６】
配光制御部材である一対のルーバ５、６は、一対の器具本体１、２の各前面に配置されている。これらのルーバ５、６はそれぞれ３本の縦ルーバ片１０、１１と縦ルーバ片１０、１１間を橋絡した多数の横ルーバ片１２からなる。中央の縦ルーバ片１０は図２（ａ）、（ｂ）に示すように断面Ｖ字形をなし、両側の縦ルーバ片１１は下端が外向きに折り返されて側枠を形成している。ルーバ５、６の取付けは、弾性取付部材４の両端の引き寄せ部４ｂを開いて縦ルーバ片１０を挿入する。これにより、引き寄せ部４ｂの挟持力で縦ルーバ片１０を器具本体１、２側に引き寄せている。
【００１７】
連結部材７は、上記したように、器具本体１、２の各連結端１ａ、２ａを相互に連結するものであるが、金属板を器具本体１、２の内側面に沿って略逆Ｕ字形に折曲し、両端にそれぞれ縦ルーバ片１１の上面に当接する一対の当接片８を突設してある。この場合、図２（ａ）、（ｂ）に示すように、弾性取付部材４は配光制御部材であるルーバ５、６の弾性を利用して、連結部材７がルーバ５、６に当接する当接位置Ｐ１よりも、ルーバ５、６を器具本体１、２側に引き寄せている。すなわち、連結部材７にルーバ５、６が当接する当接位置Ｐ１よりも、弾性取付部材４によりルーバ５、６を器具本体１、２側に引き寄せた引き寄せ位置Ｐ２を、寸法差ｄだけ器具本体１、２側に設定している。この寸法差ｄは、弾性取付部材４を器具本体１、２の端部から所定距離Ｄだけ内方に配置して、ルーバ５、６の弾性により吸収される。これにより、弾性取付部材４の引き寄せ力により当接片８に縦ルーバ片１１が弾接してルーバ５、６の隣接端が段差なく連続するように確実に支持することができる。
【００１８】
また連結部材７はルーバ５、６と同色系の色とし、ルーバ５、６の隣接端の隙間から見える部分がルーバ５、６と同じように見えるようにしている。
【００１９】
本実施の形態によれば、図１に示すように連結部材７は、器具本体１、２を連結する際、各器具本体１、２のずれを矯正する。また弾性取付部材４が器具本体１、２の両端部から適切な距離Ｄを設けて配置されているため、ルーバ５、６が器具本体１、２内に縦ルーバ片１０の弾性によりたわむことで段差ｄを吸収してルーバ５、６を取付け可能にしている。
【００２０】
また弾性取付部材４にルーバ５、６を取付けることにより、ルーバ５、６は器具本体１、２の内部へ引き上げられるが、同時に連結端１ａ、２ａ付近では図２に示す寸法差ｄにより連結部材７によって逆方向に押し下げられるため、連結端１ａ、２ａにおけるルーバ５の位置が規制される。このとき、もう一方のルーバ６も同様に規制されるため、各ルーバ５、６の幅方向の傾きが等しく矯正され、取付操作のみで連続性のある外観が実現可能となる。また、これらの構造においてルーバ５、６に従来のような固有の機能をもたせる必要がないため、どの器具本体に対しても同一形状のルーバを取付けることができる。また連結部材７はルーバ５、６と同色系の塗装を施すため、ルーバ５、６の隙間から見えても良好な外観が保たれる。
【００２１】
本発明の第２の実施の形態を図３および図４により説明する。すなわち、第１の実施の形態において、ルーバ５、６の両側の縦ルーバ片１１がない場合であり、連結部材７もＶ字形をなす中央の縦ルーバ片１０の上側に嵌合するように略Ｖ字形に形成し、その両端を外方に延出して取付片７ａとし、取付片７ａで器具本体１、２を連結している。
【００２２】
この実施の形態では、器具本体１、２間の送り配線が連結部材７の内部空間を通り、送り配線が連結部材７で隠れるので見栄えがよい。その他は第１の実施の形態と同様である。
【００２３】
なお、各実施の形態では器具本体を２連結する場合を図示しているが、３連結以上も可能である。また配光制御部材としてはルーバのほか、カバー等がある。弾性取付部材４はＶ字ばねを用いことができ、また配光制御部材側に取付けられて器具本体を保持する構成でもよい。
【図面の簡単な説明】
【００２４】
【図１】本発明の第１の実施の形態の斜視図である。
【図２】（ａ）は弾性取付部材の位置の概略断面図、（ｂ）は器具本体の連結端部での概略断面図、（ｃ）はそのＡ−Ａ線断面図である。
【図３】本発明の第２実施の形態の斜視図である。
【図４】（ａ）は弾性取付部材の位置の概略断面図、（ｂ）は器具本体の連結端部での概略断面図、（ｃ）はそのＢ−Ｂ線断面図である。
【図５】従来例の斜視図である。
【符号の説明】
【００２５】
１、２  器具本体    
４      弾性取付部材
５、６  ルーバ
７      連結部材
８      当接片
【図１】
2006210163.tif 000003
【図２】
2006210163.tif 000004
【図３】
2006210163.tif 000005
【図４】
2006210163.tif 000006
【図５】
2006210163.tif 000007